(57)【特許請求の範囲】
【請求項１】
単一のレール(13,43)に、このレール(13,43)への取付部の形状又は大きさのいずれか一方又は双方が異なる第１スクリーン(11)及び第２スクリーン(12)を選択的に取付けるための取付構造であって、
前記レール(13,43)に前記第１スクリーン(11)を取付けるための第１主プレート(21,51)と、
前記レール(13,43)に補助プレート(23,53)を介して前記第２スクリーン(12)を取付けるための第２主プレート(22,52)と、
前記レール(13,43)の両端にそれぞれ取付けられる一対のエンドキャップ(24,54,56)と
を備え、
前記レール(13,43)に前記第１スクリーン(11)を取付けるときに前記レール(13,43)と前記第１スクリーン(11)との間に前記第１主プレート(21,51)が介装されて前記レール(13,43)の両端に前記一対のエンドキャップ(24,54,56)がそれぞれ取付けられ、
前記レール(13,43)に前記第２スクリーン(12)を取付けるときに前記レール(13,43)と前記第２スクリーン(12)との間に前記第２主プレート(22,52)及び前記補助プレート(23,53)が介装されて前記レール(13,43)の両端に前記一対のエンドキャップ(24,54,56)がそれぞれ取付けられる
ことを特徴とするレールに種類の異なるスクリーンを取付けるための取付構造。
【請求項２】
前記レール(13,43)がヘッドレールであり、前記第１スクリーン(11)がプリーツスクリーンであり、前記第２スクリーン(12)がハニカムスクリーンである請求項１記載のレールに種類の異なるスクリーンを取付けるための取付構造。
【請求項３】
前記第２主プレート(52)に前記補助プレート(53)を介して前記第２スクリーン(12)を取付けた状態で、前記第２主プレート(52)の両端に一対の抜止めクリップ(41)をそれぞれ取付けることにより前記補助プレート(53)が前記第２主プレート(52)から離脱するのを阻止するように構成された請求項１又は２記載のレールに種類の異なるスクリーンを取付けるための取付構造。
【請求項４】
単一のレール(71)の上面及び下面に同時に第１スクリーン(11)若しくは第２スクリーン(12)及び第２スクリーン(12)若しくは第１スクリーン(11)をそれぞれ取付けるための取付構造であって、
前記レール(71)の上面又は下面に第１スクリーン(11)を取付けるための第１主プレート(21)と、
前記レール(71)の下面又は上面に補助プレート(23)を介して前記第２スクリーン(12)を取付けるための第２主プレート(22)と、
前記レール(71)の両端にそれぞれ取付けられる一対のエンドキャップ(76)と
を備え、
前記第２スクリーン(12)の取付部が前記第１スクリーン(11)の取付部と形状及び大きさが異なるように形成され、
前記レール(71)の上面又は下面に前記第１スクリーン(11)を取付けるときに前記レール(71)と前記第１スクリーン(11)との間に前記第１主プレート(21)が介装され、
前記レール(71)の下面又は上面に前記第２スクリーン(12)を取付けるときに前記レール(71)と前記第２スクリーン(12)との間に前記第２主プレート(22)及び前記補助プレート(23)が介装され、
前記第１スクリーン(11)及び前記第２スクリーン(12)を取付けた前記レール(71)の両端に一対のエンドキャップ(76)がそれぞれ取付けられる
ことを特徴とするレールに種類の異なるスクリーンを取付けるための取付構造。
【請求項５】
前記レール(71)が中間レールであり、前記第１スクリーン(11)がプリーツスクリーンであり、前記第２スクリーン(12)がハニカムスクリーンである請求項４記載のレールに種類の異なるスクリーンを取付けるための取付構造。
【請求項６】
単一のレール(101)の上面及び下面に同時に第１スクリーン(11)若しくは第２スクリーン(12)及び第２スクリーン(12)若しくは第１スクリーン(11)をそれぞれ取付けるための取付構造であって、
前記レール(101)の上面又は下面に第１スクリーン(11)を取付けるための第１主プレート(21)と、
前記レール(101)の下面又は上面に前記第２スクリーン(12)を取付けるための第２主プレート(92)と、
前記レール(101)の両端にそれぞれ取付けられる一対のエンドキャップと
を備え、
前記第２スクリーン(12)の取付部が前記第１スクリーン(11)の取付部と形状又は大きさのいずれか一方又は双方が異なるように形成され、
前記レール(101)の上面又は下面に前記第１スクリーン(11)を取付けるときに前記レール(101)と前記第１スクリーン(11)との間に前記第１主プレート(21)が介装され、
前記レール(101)の下面又は上面に前記第２スクリーン(12)を取付けるときに前記レール(101)と前記第２スクリーン(12)との間に前記第２主プレート(92)が介装され、
前記第１スクリーン(11)及び前記第２スクリーン(12)を取付けた前記レール(101)の両端に一対のエンドキャップがそれぞれ取付けられる
ことを特徴とするレールに種類の異なるスクリーンを取付けるための取付構造。
【請求項７】
前記レール(101)が中間レールであり、前記第１スクリーン(11)がプリーツスクリーンであり、前記第２スクリーン(12)がハニカムスクリーンである請求項６記載のレールに種類の異なるスクリーンを取付けるための取付構造。
【発明の詳細な説明】
【技術分野】
【０００１】
本発明は、ヘッドレール又は中間レールにプリーツスクリーン又はハニカムスクリーンのいずれか一方又は双方を取付けるための取付構造に関するものである。
【背景技術】
【０００２】
従来、スクリーンの端部がプレートにより止着され、プレートの前側端部及び後側端部がスクリーン吊下部材の前側取付部及び後側取付部にそれぞれ取付けられたカーテン装置用スクリーン止着プレート取付機構が開示されている（例えば、特許文献１参照。）。このカーテン装置用スクリーン止着プレートでは、プレートの後側端部の横断面が前後方向に弾性変形可能なＳ字形に形成され、プレートの後面が後方に開口し左右方向に延長する溝を有する。またスクリーン吊下部材の前側取付部は、前側端部を上下方向に支持する板部と、前側端部と当接する壁部とからなる。後側取付部は後側端部を挿入する箱部からなり、箱部の後側壁には溝と係合する突起が形成される。更にプレートのスクリーン吊下部材に入る前後方向幅は、スクリーン吊下部材の前側取付部の壁部と箱部後側壁間の前後方向幅と同じである。
【０００３】
このように構成されたカーテン装置用スクリーン止着プレート取付機構では、スクリーンの端部が止着されたプレートの前側端部を、スクリーン吊下部材の板部と突起の間の上方又は下方に開く空隙から板部内に挿入して壁部に当て、プレート後側端部を弾性変形させて箱部に挿入すると、プレート後面の溝とスクリーン吊下部材の突起が着脱可能に係合するので、プレートを容易にスクリーン吊下部材に離脱可能に取付けることができる。このとき、スクリーン吊下部材の壁部とプレートの前側端部はスクリーンを挟持し、スクリーンに作用する張力や振動がプレートを回ってスクリーンの止着部に及ぶことを阻止するので、プレートに両面接着テープ又はステープラを介して止着されたスクリーンの端部が、上記張力又は振動のいずれか一方又は双方が作用しても、プレートから剥離するおそれはない。
【０００４】
また、カーテン材の上端部を固定板に固定し、固定板をヘッドボックスに着脱可能に取着することにより、カーテン材をヘッドボックスから吊下支持したプリーツカーテンが開示されている（例えば、特許文献２参照。）。このプリーツカーテンでは、ヘッドボックス及び固定板に、固定板の一側を前後方向に移動可能にかつ上下方向に支持する係止片と、固定板の他側を上下方向に着脱可能に支持するとともに前後方向に位置決めする凹条とが設けられる。また固定板からカーテン材が吊下支持されるように構成される。
【０００５】
このように構成されたプリーツカーテンでは、カーテン材を固定した固定板の前側を、下方からヘッドボックスの係止片間に挿入し、凹条をヘッドボックスの嵌合片に嵌合することにより、ヘッドボックスの側方に大きな作業スペースを確保することなく、カーテン材をヘッドボックスに容易に取着することができる。またカーテン材の重量は固定板の前側に作用し、その固定片の前側はヘッドボックスの係止片に支持されているため、カーテン材の重量により固定板がヘッドボックスから脱落することはない。またヘッドボックスに取着された固定板は、凹条が嵌合片に嵌合して、前後方向に位置決めされているので、ボトムレールを引上げたときカーテン材が弛んでも、固定板の位置が前後方向にずれることはない。従って、固定板のヘッドボックスからの脱落を確実に防止できる。更に固定板の凹条をヘッドボックスの嵌合片から取外すことにより、カーテン材をヘッドボックスから容易に取外すことができる。
【０００６】
更に、プリーツスクリーンの上端をヘッドボックスに取付けるプリーツスクリーンの取付構造が開示されている（例えば、特許文献３参照。）。このプリーツスクリーンの取付構造では、ヘッドボックスの下部側に長手方向に延びる取付用空間部が設けられる。この取付用空間部の下側かつ幅方向中央部に取付用空間部の幅方向寸法よりも小さい幅方向寸法で全長にわたって延びる開口部が設けられ、プリーツスクリーンの上端部には基板が固着される。この基板は、開口部とほぼ等しい長手方向寸法を有するとともに、取付用空間部の幅方向寸法よりは小さく開口部の幅方向寸法よりは大きい幅方向寸法を有する。また基板の下面側には幅方向一端部寄りの位置に突起部が設けられ、基板の幅方向他端部から突起部までの寸法は開口部の幅方向寸法よりも大きく設定される。更に基板は開口部を通して幅方向他端側から取付用空間部に挿入された後、突起部が開口部の幅方向端部に接する位置まで幅方向に移動された状態で取付用空間部内に収容されるように構成される。
【０００７】
このように構成されたプリーツスクリーンの取付構造では、ヘッドボックスにプリーツスクリーンを取付けるとき、基板を突起部の設けられていない側の幅方向端部から開口部を通して取付用空間部に差し込み、突起部の設けられている側の端部が開口部を通過した後、基板を突起部の設けられている側に移動させればよい。基板は開口部よりも大きい幅方向寸法を有しており、また突起部によって幅方向への移動が阻止されているため、プリーツスクリーンから下向きの力が作用しても脱落することはない。一方、スクリーンを交換するとき、基板を突起部の設けられていない幅方向端部側に移動させ、次いで突起部側を下方に移動させれば、基板を開口部を通して抜き出すことができる。従って、ヘッドボックスを窓枠などに固着した状態のままでプリーツスクリーンのみを交換できるようになっている。
【先行技術文献】
【特許文献】
【０００８】
【特許文献１】特許第４４６５５４９号公報（請求項１、段落［０００６］、図１、図２）
【特許文献２】特許第３４３５３６６号公報（請求項１、段落［００３０］〜［００３３］、図１、図３）
【特許文献３】実公平０７−１０２９号公報（請求項１、明細書第５欄第５行〜同欄第１８行、第１図）
【発明の概要】
【発明が解決しようとする課題】
【０００９】
しかし、上記従来の特許文献１〜３に示されたスクリーン止着プレート取付構造等では、ヘッドレールにプリーツスクリーンを取付けることはできるけれども、このヘッドレールに上記プリーツスクリーンとは取付部の異なるハニカムスクリーンを取付けることができない問題点があった。
【００１０】
本発明の目的は、第２スクリーン専用のヘッドレール及びレール用エンドキャップを作製することなく、第２スクリーンを取付部の異なる第１スクリーン用のヘッドレールに取付けることができる、レールに種類の異なるスクリーンを取付けるための取付構造を提供することにある。本発明の別の目的は、中間レールの上面及び下面に種類の異なる第１及び第２スクリーンを同時に取付けることができる、レールに種類の異なるスクリーンを取付けるための取付構造を提供することにある。
【課題を解決するための手段】
【００１１】
本発明の第１の観点は、図１〜図３及び図５に示すように、単一のレール１３に、このレール１３への取付部の形状又は大きさのいずれか一方又は双方が異なる第１スクリーン１１及び第２スクリーン１２を選択的に取付けるための取付構造であって、レール１３に第１スクリーン１１を取付けるための第１主プレート２１と、レール１３に補助プレート２３を介して第２スクリーン１２を取付けるための第２主プレート２２と、レール１３の両端にそれぞれ取付けられる一対のエンドキャップ２４とを備え、第２スクリーン１２の取付部が第１スクリーン１１の取付部と形状又は大きさのいずれか一方又は双方が異なるように形成され、レール１３に第１スクリーン１１を取付けるときにレール１３と第１スクリーン１１との間に第１主プレート２１が介装されてレール１３の両端に一対のエンドキャップ２４がそれぞれ取付けられ、レール１３に第２スクリーン１２を取付けるときにレール１３と第２スクリーン１２との間に第２主プレート２２及び補助プレート２３が介装されてレール１３の両端に一対のエンドキャップ２４がそれぞれ取付けられることを特徴とする。
【００１２】
本発明の第２の観点は、第１の観点に基づく発明であって、更に図１及び図５に示すように、レール１３がヘッドレールであり、第１スクリーン１１がプリーツスクリーンであり、第２スクリーン１２がハニカムスクリーンであることを特徴とする。
【００１３】
本発明の第３の観点は、第２の観点に基づく発明であって、更に図６、図８、図１０及び図１２に示すように、第２主プレート５２に補助プレート５３を介して第２スクリーン１２を取付けた状態で、第２主プレート５２の両端に一対の抜止めクリップ４１をそれぞれ取付けることにより補助プレート５３が第２主プレート５２から離脱するのを阻止するように構成されたことを特徴とする。
【００１４】
本発明の第４の観点は、図１３及び図１４に示すように、単一のレール７１の上面及び下面に同時に第１スクリーン１１若しくは第２スクリーン１２及び第２スクリーン１２若しくは第１スクリーン１１をそれぞれ取付けるための取付構造であって、レール７１の上面又は下面に第１スクリーン１１を取付けるための第１主プレート２１と、レール７１の下面又は上面に補助プレート２３を介して第２スクリーン１２を取付けるための第２主プレート２２と、レール７１の両端にそれぞれ取付けられる一対のエンドキャップ７６とを備え、第２スクリーン１２の取付部が第１スクリーン１１の取付部と形状又は大きさのいずれか一方又は双方が異なるように形成され、レール７１の上面又は下面に第１スクリーン１１を取付けるときにレール７１と第１スクリーン１１との間に第１主プレート２１が介装され、レール７１の下面又は上面に第２スクリーン１２を取付けるときにレール７１と第２スクリーン１２との間に第２主プレート２２及び補助プレート２３が介装され、第１スクリーン１１及び第２スクリーン１２を取付けたレール７１の両端に一対のエンドキャップ７６がそれぞれ取付けられることを特徴とする。
【００１５】
本発明の第５の観点は、第４の観点に基づく発明であって、更に図１３に示すように、レール７１が中間レールであり、第１スクリーン１１がプリーツスクリーンであり、第２スクリーン１２がハニカムスクリーンであることを特徴とする。
【００１６】
本発明の第６の観点は、図１５に示すように、単一のレール１０１の上面及び下面に同時に第１スクリーン１１若しくは第２スクリーン１２及び第２スクリーン１２若しくは第１スクリーン１１をそれぞれ取付けるための取付構造であって、レール１０１の上面又は下面に第１スクリーン１１を取付けるための第１主プレート２１と、レール１０１の下面又は上面に第２スクリーン１２を取付けるための第２主プレート９２と、レール１０１の両端にそれぞれ取付けられる一対のエンドキャップとを備え、第２スクリーン１２の取付部が第１スクリーン１１の取付部と形状又は大きさのいずれか一方又は双方が異なるように形成され、レール１０１の上面又は下面に第１スクリーン１１を取付けるときにレール１０１と第１スクリーン１１との間に第１主プレート２１が介装され、レール１０１の下面又は上面に第２スクリーン１２を取付けるときにレール１０１と第２スクリーン１２との間に第２主プレート９２が介装され、第１スクリーン１１及び第２スクリーン１２を取付けたレール１０１の両端に一対のエンドキャップがそれぞれ取付けられることを特徴とする。
本発明の第７の観点は、第６の観点に基づく発明であって、更に図１５に示すように、レール１０１が中間レールであり、第１スクリーン１１がプリーツスクリーンであり、第２スクリーン１２がハニカムスクリーンであることを特徴とする。
【発明の効果】
【００１７】
本発明の第１の観点の取付構造では、レールに第１スクリーンを取付けるときにレールと第１スクリーンとの間に第１主プレートを介装し、レールに第２スクリーンを取付けるときにレールと第２スクリーンとの間に第２主プレート及び補助プレートを介装するので、第１スクリーンの取付部と第２スクリーンの取付部の形状等が異なっていても、第２スクリーン専用のヘッドレール及びレール用エンドキャップを作製することなく、第２スクリーンを取付部の形状等の異なる第１スクリーン用のヘッドレールに取付けることができる。
【００１８】
本発明の第２の観点の取付構造では、ヘッドレールにプリーツスクリーンを取付けるときにヘッドレールとプリーツスクリーンとの間に第１主プレートを介装し、ヘッドレールにハニカムスクリーンを取付けるときにヘッドレールとハニカムスクリーンとの間に第２主プレート及び補助プレートを介装するので、プリーツスクリーンの取付部とハニカムスクリーンの取付部の形状等が異なっていても、ハニカムスクリーン専用のヘッドレール及びレール用エンドキャップを作製することなく、ハニカムスクリーンを取付部の形状等の異なるプリーツスクリーン用のヘッドレールに取付けることができる。
【００１９】
本発明の第３の観点の取付構造では、第２主プレートに補助プレートを介して第２スクリーンを取付けた後に、第２主プレートの両端に一対の抜止めクリップをそれぞれ取付けたので、補助プレートの第２主プレートからの離脱を阻止できる。この結果、第２スクリーンが第２主プレートから離脱するのを防止できる。
【００２０】
本発明の第４の観点の取付構造では、レールの上面又は下面に第１スクリーンを取付けるときにレールと第１スクリーンとの間に第１主プレートを介装し、レールの下面又は上面に第２スクリーンを取付けるときにレールと第２スクリーンとの間に第２主プレート及び補助プレートを介装したので、第１スクリーンの取付部と第２スクリーンの取付部の形状等が異なっていても、中間レールの上面及び下面に取付部の形状等の異なる第１及び第２スクリーンを同時に取付けることができる。
【００２１】
本発明の第５の観点の取付構造では、中間レールの上面又は下面にプリーツスクリーンを取付けるときに中間レールとプリーツスクリーンとの間に第１主プレートを介装し、中間レールの下面又は上面にハニカムスクリーンを取付けるときに中間レールとハニカムスクリーンとの間に第２主プレート及び補助プレートを介装したので、プリーツスクリーンの取付部とハニカムスクリーンの取付部の形状等が異なっていても、中間レールの上面及び下面に取付部の形状等の異なるプリーツスクリーン及びハニカムスクリーンをそれぞれ同時に取付けることができる。
【００２２】
本発明の第６の観点の取付構造では、中間レールの上面又は下面に第１スクリーンを取付けるときに中間レールとプリーツスクリーンとの間に第１主プレートを介装し、中間レールの下面又は上面に第２スクリーンを取付けるときに中間レールとハニカムスクリーンとの間に第２主プレートを介装したので、第１スクリーンの取付部と第２スクリーンの取付部の形状等が異なっていても、中間レールの上面及び下面に取付部の形状等の異なる第１スクリーン及び第２スクリーンをそれぞれ同時に取付けることができる。また第６の観点の取付構造では、補助プレートが不要であるため、上記第４又は第５の観点の取付構造より、部品点数を削減できるとともに、組付工数を低減できる。
【００２３】
本発明の第７の観点の取付構造では、中間レールの上面又は下面にプリーツスクリーンを取付けるときに中間レールとプリーツスクリーンとの間に第１主プレートを介装し、中間レールの下面又は上面にハニカムスクリーンを取付けるときに中間レールとハニカムスクリーンとの間に第２主プレートを介装したので、プリーツスクリーンの取付部とハニカムスクリーンの取付部の形状等が異なっていても、中間レールの上面及び下面に取付部の形状等の異なるプリーツスクリーン及びハニカムスクリーンをそれぞれ同時に取付けることができる。
【図面の簡単な説明】
【００２４】
【図１】本発明第１実施形態のヘッドレールに第２主プレート及び補助プレートを介して第２スクリーンを取付けかつその端面からエンドキャップを取外した状態を示す要部側面図である。
【図２】第２スクリーンを第２主プレートに補助レールを介して取付ける手順を示す要部側面図である。
【図３】その端面にエンドキャップを取付けた状態を示す図１に対応する要部側面図である。
【図４】第２スクリーンを取付けた補助プレートを第２主プレートに取付ける直前の状態を示す要部斜視図である。
【図５】ヘッドレールに第１主プレートを介して第１スクリーンを取付けかつその端面からエンドキャップを取外した状態を示す要部側面図である。
【図６】本発明第２実施形態のヘッドレールに第２主プレート及び補助プレートを介して第２スクリーンを取付けかつその端面からエンドキャップを取外した状態を示す側面図である。
【図７】第２スクリーンを取付けた補助プレートを第２主プレートに挿入し更に第２主プレートに抜止めクリップを取付ける手順を示す要部側面図である。
【図８】その端面にエンドキャップを取付けた状態を示す図６に対応する要部側面図である。
【図９】第２スクリーンを取付けた補助プレートを第２主プレートに取付ける直前の状態を示す要部斜視図である。
【図１０】第２スクリーンを取付けた補助プレートを第２主プレートに挿入しかつ第２主プレートに抜止めクリップを取付けた状態を示す要部斜視図である。
【図１１】ヘッドレールに第１主プレートを介して第１スクリーンを取付けかつその端面からエンドキャップを取外した状態を示す要部側面図である。
【図１２】図８のＡ−Ａ線断面図である。
【図１３】本発明第３実施形態の中間レールの上面及び下面に第１スクリーン及び第２スクリーンをそれぞれ取付けかつその端面からエンドキャップを取外した状態を示す側面図である。
【図１４】その端面にエンドキャップを取付けた状態を示す図１３に対応する要部側面図である。
【図１５】本発明第４実施形態の中間レールの上面及び下面に第１スクリーン及び第２スクリーンをそれぞれ取付けかつその端面からエンドキャップを取外した状態を示す側面図である。
【発明を実施するための形態】
【００２５】
次に本発明を実施するための形態を図面に基づいて説明する。
【００２６】
＜第１の実施の形態＞
図１及び図５に示すように、単一のヘッドレール１３には、第１スクリーン１１又は第２スクリーン１２のいずれかを選択的に取付け可能に構成される。この実施の形態では、第１スクリーン１１がプリーツスクリーン（図１）であり、第２スクリーン１２がハニカムスクリーン（図２）であり、第２スクリーン１２の取付け幅は第１スクリーン１１の取付け幅より小さく形成される。第１スクリーン１１は、上昇することによりヘッドレール１３下面に折畳まれ、下降することにより展開して側面視で略ジグザグ状に鉛直方向に連なった状態に変形するように構成される。第２スクリーン１２は、上昇することによりヘッドレール１３下面に折畳まれ、下降することにより展開して側面視で略五角形状の筒体が鉛直方向に連なった状態に変形するように構成される。またヘッドレール１３に第１スクリーン１１を取付けるために第１主プレート２１が取付けられ、ヘッドレール１３に補助プレート２３を介して第２スクリーン１２を取付けるために第２主プレート２２が取付けられる。
【００２７】
なお、この第１の実施の形態において、「第１スクリーン１１の取付け幅」とは、ヘッドレール１３に第１スクリーン１１を取付けるときのヘッドレール１３の幅に相応する幅をいい、「第２スクリーン１２の取付け幅」とは、ヘッドレール１３に第２スクリーン１２を取付けるときのヘッドレール１３の幅に相応する幅をいう。また、この第１の実施の形態では、第２スクリーンの取付け幅（取付部の幅）を第１スクリーンの取付け幅（取付部の幅）より小さく形成したが、第２スクリーンの取付け幅（取付部の幅）を第１スクリーンの取付け幅（取付部の幅）より大きく形成してもよく、或いは第２スクリーンの取付部を第１スクリーンの取付部と形状又は形状及び大きさが異なるように形成してもよい。
【００２８】
ヘッドレール１３は、鉛直方向に延びて設けられた前壁１３ａ及び後壁１３ｂと、水平方向に延びて設けられ前壁１３ａ及び後壁１３ｂの下部同士を接続する連結片１３ｃとを有する（図１及び図５）。ヘッドレール１３の上部には、上面が開放された比較的広い上部空間１３ｄが形成され、ヘッドレール１３の下部には、下面が開放された比較的狭い下部空間１３ｅが形成される。上部空間１３ｄには図示しないが巻取り軸、巻取りドラム、クラッチ等が収容され、下部空間１３ｅには上記第１主プレート２１又は第２主プレート２２が収容される。上記巻取り軸はヘッドレール１３の長手方向に延びて設けられヘッドレール１３に回転可能に収容される。巻取りドラムは、巻取り軸に嵌着され、第１スクリーン１１又は第２スクリーン１２を展開可能に折畳むための昇降コードを繰出し可能に巻取るように構成される。またクラッチは、巻取り軸に嵌着され、巻取り軸をロック状態又はロック解除状態に切換えるように構成される。更にヘッドレール１３の前壁１３ａ下縁には前受け部１３ｆが後壁１３ｂに向いかつ前壁１３ａ下縁に沿って突設され、ヘッドレール１３の後壁１３ｂ下縁には後受け部１３ｇが前壁１３ａに向いかつ後壁１３ｂ下縁に沿って突設され、ヘッドレール１３の連結片１３ｃの幅方向中央の後壁１３ｂ寄り下面には中央受け部１３ｈが下方に向いかつ連結片１３ｃの長手方向に沿って突設される。
【００２９】
一方、第１主プレート２１は、図５に示すように、ヘッドレール１３の前部から中央部にかけて水平方向に延びて設けられる板状の第１水平片２１ａと、前縁が第１水平片２１ａの後縁に連設されヘッドレール１３の後部に向って蛇行して延びる第１蛇行片２１ｂとを有する。第１蛇行片２１ｂは、側面視で略伏Ｓ字状に蛇行して形成される。この第１蛇行片２１ｂはその前縁が上方に突出した状態で第１水平片２１ａの後縁に連設される。また第１蛇行片２１ｂの後縁下端には第１鉤型突片２１ｃがヘッドレール１３の後壁１３ｂ下方に回り込むように突設され、第１蛇行片２１ｂの後面には第１山型突片２１ｄがヘッドレール１３の後壁１３ｂ内面に向って突設される。上記第１鉤型突片２１ｃと第１山型突片２１ｄとの間に第１係止溝２１ｅが形成される。第１水平片２１ａの前縁がヘッドレール１３の前受け部１３ｆに係止し、第１蛇行片２１ｂの第１係止溝２１ｅがヘッドレール１３の後受け部１３ｇに係止し、第１蛇行片２１ｂの前面がヘッドレール１３の中央受け部１３ｈの後面に係止するように構成される。
【００３０】
一方、第２主プレート２２は、図１、図２（ｂ）及び図４に示すように、ヘッドレール１３の前部から中央部にかけて水平方向に延びて設けられる板状の第２水平片２２ａと、前縁が第２水平片２２ａの後縁に連設され補助プレート２３を収容可能に形成された補助プレート収容片２２ｂと、補助プレート収容片２２ｂの後縁に連設されヘッドレール１３の後部に向って蛇行して延びる第２蛇行片２２ｃとを有する。補助プレート収容片２２ｂは、側面視で略伏チャンネル状に形成された上片部２２ｄと、上片部２２ｄの前縁に連設され側面視で略逆コ字状に形成された前片部２２ｅと、上片部２２ｄの後縁に連設され略コ字状に形成された後片部２２ｆとからなる。また第２蛇行片２２ｂは、第１蛇行片２１ｂと略同一形状に形成される。具体的には、第２蛇行片２２ｂは、側面視で略伏Ｓ字状に蛇行して形成される。この第２蛇行片２２ｂはその前縁が上方に突出した状態で補助プレート収容片２２ｂの後縁に連設される。また第２蛇行片２２ｂの後縁下端には第２鉤型突片２２ｇがヘッドレール１３の後壁１３ｂ下方に回り込むように突設され、第２蛇行片２２ｂの後面には第２山型突片２２ｈがヘッドレール１３の後壁１３ｂ内面に向って突設される。上記第２鉤型突片２２ｇと第２山型突片２２ｈとの間に第２係止溝２２ｉが形成される。第２水平片２２ａの前縁がヘッドレール１３の前受け部１３ｆに係止し、第２蛇行片２２ｂの第２係止溝２２ｉがヘッドレール１３の後受け部１３ｇに係止し、第２蛇行片２２ｂの前面がヘッドレール１３の中央受け部１３ｈの後面に係止するように構成される。
【００３１】
一方、補助プレート２３は、図１、図２及び図４に示すように、水平方向に延びて設けられた下片２３ａと、下片２３ａの前部上面に立設された前起立片２３ｂと、下片２３ａの後部上面に立設された後起立片２３ｃと、前起立片２３ｂの前面から第２主プレート２２の前片部２２ｅに向って突設された前側突片２３ｄと、後起立片２３ｃの後面から第２主プレート２２の後片部２２ｆに向って突設された後側突片２３ｅとを有する。第２スクリーン１２の上端には、補助プレート２３の前側突片２３ｄに被せられる前生地１２ａと、補助プレート２３の後側突片２３ｅに被せられる後生地１２ｂとが連設される。ヘッドレール１３に第１スクリーン１１を取付けるときに、ヘッドレール１３と第１スクリーン１１との間に第１主プレート２１が介装され、ヘッドレール１３に第２スクリーン１２を取付けるときに、ヘッドレール１３と第２スクリーン１２との間に第２主プレート２２及び補助プレート２３が介装されるように構成される。なお、図３中の符号２４はヘッドレール１３の両端に取付けられるエンドキャップである。
【００３２】
このように構成されたヘッドレール１３に第１スクリーン１１（プリーツスクリーン）を取付ける手順を図５に基づいて説明する。先ず第１スクリーン１１の上端を第１主プレート２１の第１水平片２１ａの前部に被せて、ステープラ（stapler）又は両面粘着テープにより第１スクリーン１１を第１主プレート２１に固定する。この状態で第１主プレート２１をヘッドレール１３の下部空間１３ｅに収容する。このとき第１主プレート２１の第１水平片２１ａをヘッドレール１３の前受け部１３ｆに係止した状態で、第１主プレート２１の第１蛇行片２１ｂを弾性変形させてヘッドレール１３の後受け部１３ｇに係止することにより、第１主プレート２１をヘッドレール１３に収容する。この状態でヘッドレール１３の両端にエンドキャップ２４（図３）を取付ける。これによりヘッドレール１３への第１スクリーン１１の取付作業が完了する。
【００３３】
次にヘッドレール１３に第２スクリーン１２（ハニカムスクリーン）を取付ける手順を図１〜図４に基づいて説明する。第２スクリーン１２の上端の前生地１２ａを補助プレート２３の前側突片２３ｄに被せ、第２スクリーン１２の上端の後生地１２ｂを補助プレート２３の後側突片２３ｅに被せる。この状態でステープラ（stapler）又は両面粘着テープにより第２スクリーン１２を補助プレート２３に固定した後に、補助プレート２３を第２主プレート２２に収容する。このとき補助プレート２３の一端を第２主プレート２２の一端から挿入することにより、補助プレート２３を第２主プレート２２に収容する（図４）。この状態で第２主プレート２２をヘッドレール１３の下部空間１３ｅに収容する。このとき第２主プレート２１の第２水平片２２ａをヘッドレール１３の前受け部１３ｆに係止した状態で、第２主プレート２２の第２蛇行片２２ｃを弾性変形させてヘッドレール１３の後受け部１３ｇに係止することにより、第２主プレート２２をヘッドレール１３に収容する。この状態でヘッドレール１３の両端にエンドキャップ２４を取付ける（図３）。これによりヘッドレール１３への第２スクリーン１２の取付作業が完了する。
【００３４】
上述のように、ヘッドレール１３に取付け幅の広い第１スクリーン１１（プリーツスクリーン）を取付けるときには、ヘッドレール１３と第１スクリーン１１との間に第１主プレート２１を介装し、ヘッドレール１３に取付け幅の狭い第２スクリーン１２（ハニカムスクリーン）を取付けるときには、ヘッドレール１３と第２スクリーン１２との間に第２主プレート２２及び補助プレート２３を介装するので、取付け幅の狭い第２スクリーン１２専用のヘッドレール及びエンドキャップを作製することなく、取付け幅の狭い第２スクリーン１２を取付け幅の広い第１スクリーン１１用のヘッドレール１３に取付けることができる。
【００３５】
＜第２の実施の形態＞
図６〜図１２は本発明の第２の実施の形態を示す。図６〜図１２において図１〜図５と同一符号は同一部品を示す。この実施の形態では、第２主プレート５２に補助プレート５３を介して第２スクリーン１２（プリーツスクリーン）を取付けた状態で、第２主プレート５２の両端に一対の抜止めクリップ４１をそれぞれ取付けることにより補助プレート５３が第２主プレート５２から離脱するのを阻止するように構成される。ヘッドレール４３は、鉛直方向に延びて設けられた前壁４３ａ及び後壁４３ｂと、水平方向に延びて設けられ前壁４３ａ及び後壁４３ｂの上縁同士を接続する連結片４３ｃとを有する。ヘッドレール４３の前壁４3ａの下縁には、前受け部４３ｄが後壁４３ｂに向いかつ前壁４３ａの下縁に沿って突設され、ヘッドレール４３の後壁４３ｂの下縁には、後受け部４３ｅが前壁４３ａに向いかつ後壁４３ｂの下縁に沿って突設される。またヘッドレール４３の内部には下面が開放された空間４３ｆが形成される。この空間４３ｆの大部分には、巻取り軸４４、巻取りドラム（図示せず）、クラッチ４６等が収容される（図１２）。上記空間４３ｆの下部には、第１主プレート５１の大部分又は第２主プレート５２の上部が収容される（図６及び図１１）。なお、上記巻取り軸４４、巻取りドラム、クラッチ４６等は第１の実施の形態の巻取り軸、巻取りドラム、クラッチ等と略同様に構成される。
【００３６】
一方、第１主プレート５１は、図１１に示すように、ヘッドレール４３の前部から後部近傍にかけて水平方向に延びて設けられる板状の第１水平片５１ａと、前縁が第１水平片５１ａの後縁に連設され側面視で略逆コ字状に湾曲して形成された第１湾曲片５１ｂとを有する。第１水平片５１ａの前縁はヘッドレール４３の前受け部４３ｄに係止し、第１湾曲片５１ｂはヘッドレール４３の後受け部４３ｅに係止するように構成される。
【００３７】
一方、第２主プレート５２は、図６、図７、図９及び図１０に示すように、ヘッドレール４３の前部から後部近傍にかけて水平方向に延びて設けられる板状の第２水平片５２ａと、前縁が第２水平片５２ａの後縁に連設され側面視で略逆コ字状に形成された第２湾曲片５２ｂと、第２水平片５２ａの前部下面から下方に側面視で略Ｃ字状に湾曲して突設された前側フック片５２ｃと、第２湾曲片５２ｂの下面から垂下された垂下片５２ｄの下端に連設され水平方向に延びる後側フック片５２ｅとを有する。第２水平片５２ａの前後方向の中央には、抜止めクリップ４１の弾性挟持片４１ａの幅より僅かに広い幅を有し厚さの薄い板状の薄板部５２ｆが形成される。また補助プレート５３は水平方向に延びる平板状に形成される。この補助プレート５３の前縁は第２主プレート５２の前側フック片５２ｃに係止し、補助プレート５３の後縁は第２主プレート５２の後側フック片５２ｅに係止するように構成される。これにより補助プレート５３は、ヘッドレール４３の下方に突出し第２主プレート５２の前側フック片５２ｃ及び後側フック片５２ｅにより形成される扁平な突出空間５２ｇ（図７（ａ））に収容されるようになっている。
【００３８】
一方、第２スクリーン１２の上端には、補助プレート５３の前部に被せられる前生地１２ａと、補助プレート５３の後部に被せられる後生地１２ｂとが連設される（図６、図７及び図９）。また抜止めクリップ４１は、第２主プレート５２の薄板部５２ｆを挟持する弾性挟持片４１ａと、ヘッドレール４３の下方に突出する第２主プレート５２の突出空間５２ｇの端面を覆うストッパ部４１ｂとを有する。なお、図８及び図１２中の符号５４はヘッドレール４３の右端に取付けられるエンドキャップであり、図１２中の符号５６はヘッドレール４３の左端に取付けられるエンドキャップである。上記以外は第１の実施の形態と同一に構成される。
【００３９】
このように構成されたヘッドレール４３に第１スクリーン１１（プリーツスクリーン）を取付ける手順を図１１に基づいて説明する。先ず第１スクリーン１１の上端を第１主プレート５１の第１水平片５１ａの前部に被せて、ステープラ（stapler）又は両面粘着テープにより第１スクリーン１１を第１主プレート５１に固定する。この状態で第１主プレート５１をヘッドレール４３の空間４３ｆの下部に収容する。このとき第１主プレート５１の第１水平片５１ａをヘッドレール４３の前受け部４３ｄに係止した状態で、第１主プレート５１の第１湾曲片５１ｂを弾性変形させてヘッドレール４３の後受け部４３ｅに係止することにより、第１主プレート５１をヘッドレール４３に収容するか、或いは第１主プレート５１の一端をヘッドレール４３の一端からヘッドレール４３の空間４３ｆ下部に挿入することにより、第１主プレート５１をヘッドレール４３に収容する。この状態でヘッドレール４３の両端にエンドキャップ５４，５６（図１２）を取付ける。これによりヘッドレール４３への第１スクリーン１１の取付作業が完了する。
【００４０】
次にヘッドレール４３に第２スクリーン１２（ハニカムスクリーン）を取付ける手順を図６〜図１０及び図１２に基づいて説明する。第２スクリーン１２の上端の前生地１２ａを補助プレート５３の前部に被せ、第２スクリーン１２の上端の後生地１２ｂを補助プレート５３の後部に被せる。この状態でステープラ（stapler）又は両面粘着テープにより第２スクリーン１２を補助プレート５３に固定した後に、補助プレート５３を第２主プレート５２に収容する。このとき補助プレート５３の一端を第２主プレート５２の一端から挿入することにより、補助プレート５３を第２主プレート５２に収容する（図９）。次に第２主プレート５２の薄板部５２ｆの両端を抜止めクリップ４１の弾性挟持片４１ａにより挟持する（図７（ｂ）及び図１０）。これによりヘッドレール４３の下方に突出する第２主プレート５２の突出空間５２ｇの端面が抜止めクリップ４１のストッパ部４１ｂにより覆われるので、補助プレート５３の第２主プレート５２からの離脱を阻止できる。この結果、第２スクリーン１２が第２主プレート５２から離脱するのを防止することができる。この状態で第２主プレート５２の上部をヘッドレール４３の空間４３ｆ下部に収容する。このとき第２主プレート５２の第２水平片５２ａをヘッドレール４３の前受け部４３ｄに係止した状態で、第２主プレート５２の第２湾曲片５２ｂを弾性変形させてヘッドレール４３の後受け部４３ｅに係止することにより、第２主プレート５２をヘッドレール４３に収容するか、或いは第２主プレート５２の一端をヘッドレール４３の一端からヘッドレール４３の空間４３ｆ下部に挿入することにより、第２主プレート５２をヘッドレール４３に収容する。この状態でヘッドレール４３の両端にエンドキャップ５４，５６を取付ける（図８及び図１２）。これによりヘッドレール４３への第２スクリーン１２の取付作業が完了する。上記以外の動作は第１の実施の形態の動作と略同様であるので、繰返しの説明を省略する。
【００４１】
＜第３の実施の形態＞
図１３及び図１４は本発明の第３の実施の形態を示す。図１３及び図１４において図１〜図５と同一符号は同一部品を示す。この実施の形態では、単一の中間レール７１の上面及び下面に同時に第１スクリーン１１（プリーツスクリーン）及び第２スクリーン１２（ハニカムスクリーン）をそれぞれ取付けるように構成される。即ち、ヘッドレール１３と中間レール７１との間には第１スクリーン１１が取付けられ、中間レール７１とボトムレール７２との間には第２スクリーン１２が取付けられる。ヘッドレール１３の下面には、第１スクリーン１１の上端を取付けるための第１主プレート２１が取付けられ、中間レール７１の上面には、第１スクリーン１１の下端を取付けるための別の第１主プレート２１が取付けられる。また中間レール７１の下面には、補助プレート２３を介して第２スクリーン１２の上端を取付けるための第２主プレート２２が取付けられ、ボトムレール７２の上面には、別の補助プレート２３を介して第２スクリーン１２の下端を取付けるための別の第２プレート２２が取付けられる。
【００４２】
中間レール７１は、鉛直方向に延びて設けられた前壁７１ａ及び後壁７１ｂと、水平方向に延びて設けられ前壁７１ａ及び後壁７１ｂの上下方向の略中央を接続する連結片７１ｃとを有する。中間レール７１の上部には、上面が開放された上部空間７１ｄが形成され、中間レール７１の下部には、下面が開放された下部空間７１ｅが形成される。上部空間７１ｄには第１主プレート２１が収容され、下部空間７１ｅには第２主プレート２２が収容される。また中間レール７１の前壁７１ａ上縁には上側前受け部７１ｆが後壁７１ｂに向いかつ前壁７１ａ上縁に沿って突設され、中間レール７１の後壁７１ｂ上縁には上側後受け部７１ｇが前壁７１ａに向いかつ後壁７１ｂ上縁に沿って突設され、中間レール７１の連結片７１ｃの幅方向中央の後壁７１ｂ寄り下面には上側中央受け部７１ｈが上方に向いかつ連結片７１ｃの長手方向に沿って突設される。更に中間レール７１の前壁７１ａ下縁には下側前受け部７１ｉが後壁７１ｂに向いかつ前壁７１ａ下縁に沿って突設され、中間レール７１の後壁７１ｂ下縁には下側後受け部７１ｊが前壁７１ａに向いかつ後壁７１ｂ下縁に沿って突設され、中間レール７１の連結片７１ｃの幅方向中央の後壁７１ｂ寄り下面には下側中央受け部７１ｋが下方に向いかつ連結片７１ｃの長手方向に沿って突設される。
【００４３】
一方、ボトムレール７２は、鉛直方向に延びて設けられた前壁７２ａ及び後壁７２ｂと、水平方向に延びて設けられ前壁７２ａ及び後壁７２ｂの下縁同士を接続する連結片７２ｃとを有する。ボトムレール７２には、上面が開放された空間７２ｄが形成され、この空間７２ｄの上部に第２主プレート２２が収容される。またボトムレール７２の前壁７２ａの上縁には、前受け部７２ｅが後壁７２ｂに向いかつ前壁７２ａの上縁に沿って突設され、ボトムレール７２の後壁７２ｂの上縁には、後受け部７２ｆが前壁７２ａに向いかつ後壁７２ｂの上縁に沿って突設され、ボトムレール７２の連結片７２ｃの幅方向中央の後壁７２ｂ寄り下面には中央受け部７２ｇが上方に向いかつ連結片７２ｃの長手方向に沿って突設される。
【００４４】
第１主プレート２１は第１の実施の形態の第１主プレートと同一に形成され、第２主プレート２２は第１の実施の形態の第２主プレートと同一に形成され、補助プレート２３は第１の実施の形態の補助プレートと同一に形成される。またヘッドレール１３は第１の実施の形態のヘッドレールと同一に形成され、エンドキャップ２４は第１の実施の形態のエンドキャップと同一に形成される。ヘッドレール１３に取付けられる第１主プレート２１の第１水平片２１ａの前縁はヘッドレール１３の前受け部１３ｆに係止し、ヘッドレール１３に取付けられる第１主プレート２１の第１蛇行片２１ｂはヘッドレール１３の後受け部１３ｇに係止するように構成される。中間レール７１に取付けられる第１主プレート２１の第１水平片２１ａの前縁は中間レール７１の上側前受け部７１ｆに係止し、中間レール７１に取付けられる第１主プレート２１の第１蛇行片２１ｂは中間レール７１の上側後受け部７１ｇに係止するように構成される。また中間レール７１に取付けられる第２主プレート２２の第２水平片２２ａの前縁は中間レール７１の下側前受け部７１ｉに係止し、中間レール７１に取付けられる第２主プレート２２の第２蛇行片２２ｃはヘッドレール１３の後受け部１３ｇに係止するように構成される。ボトムレール７２に取付けられる第２主プレート２２の第２水平片２２ａの前縁はボトムレール７２の前受け部７２ｅに係止し、ボトムレール７２に取付けられる第２主プレート２２の第２蛇行片２２ｃはボトムレール７２の後受け部７２ｆに係止するように構成される。
【００４５】
なお、第２スクリーン１２の上端には、補助プレート２３の前側突片２３ｄに被せられる前生地１２ａと、補助プレート２３の後側突片２３ｅに被せられる後生地１２ｂとが連設される。第２スクリーン１２の下端にも、図示しないが、補助プレート２３の前側突片２３ｄに被せられる前生地と、補助プレート２３の後側突片２３ｅに被せられる後生地とが連設される。また、図１３及び図１４中の符号７３は昇降コードであり、符号７４は操作コードである。更に、図１３及び図１４中の符号７６は中間レール７１の両端に取付けられるエンドキャップであり、符号７７はボトムレール７２の両端に取付けられるエンドキャップである。上記以外は第１の実施の形態と同一に構成される。
【００４６】
このように構成されたヘッドレール１３、中間レール７１及びボトムレール７２に、第１スクリーン１１及び第２スクリーン１２を取付ける手順を図１３に基づいて説明する。先ず第１スクリーン１１の上端を第１主プレート２１の第１水平片２１ａの前部に被せて、ステープラ（stapler）又は両面粘着テープにより第１スクリーン１１を第１主プレート２１に固定する。この状態で第１主プレート２１をヘッドレール１３の下部空間１３ｅに収容する。このとき第１主プレート２１の第１水平片２１ａをヘッドレール１３の前受け部１３ｆに係止した状態で、第１主プレート２１の第１蛇行片２１ｂを弾性変形させてヘッドレール１３の後受け部１３ｇに係止することにより、第１主プレート２１をヘッドレール１３に収容する。この状態でヘッドレール１３の両端にエンドキャップ２４（図１４）を取付ける。
【００４７】
次いで第１スクリーン１１の下端を上記とは別の第１主プレート２１の第１水平片２１ａの前部に被せて、ステープラ（stapler）又は両面粘着テープにより第１スクリーン１１を第１主プレート２１に固定する。この状態で第１主プレート２１を中間レール７１の上部空間７１ｄに収容する。このとき第１主プレート２１の第１水平片２１ａを中間レール７１の上側前受け部７１ｆに係止した状態で、第１主プレート２１の第１蛇行片２１ｂを弾性変形させて中間レール７１の上側後受け部７１ｇに係止することにより、第１主プレート２１を中間レール７１に収容する。ここで、ヘッドレール１３に取付けられた第１主プレート２１と中間レール７１に取付けられた第１主プレート２１とは、これらの主プレート２１，２１間に位置する水平面に対して面対称になるように配置される。
【００４８】
次に第２スクリーン１２の上端の前生地１２ａを補助プレート２３の前側突片２３ｄに被せ、第２スクリーン１２の上端の後生地１２ｂを補助プレート２３の後側突片２３ｅに被せる。この状態でステープラ（stapler）又は両面粘着テープにより第２スクリーン１２を補助プレート２３に固定した後に、補助プレート２３を第２主プレート２２に収容する。このとき補助プレート２３の一端を第２主プレート２２の一端から挿入することにより、補助プレート２３を第２主プレート２２に収容する。そして第２主プレート２２を中間レール７１の下部空間７１ｅに収容する。このとき第２主プレート２２の第２水平片２２ａを中間レール７１の下側前受け部７１ｉに係止した状態で、第２主プレート２２の第２蛇行片２２ｃを弾性変形させて中間レール７１の下側後受け部７１ｊに係止することにより、第２主プレート２２を中間レール７１に収容する。この状態で中間レール７１の両端にエンドキャップ７６を取付ける（図１４）。
【００４９】
更に第２スクリーン１２の下端の前生地を上記とは別の補助プレート２３の前側突片２３ｄに被せ、第２スクリーン１２の下端の後生地を補助プレート２３の後側突片２３ｅに被せる。この状態でステープラ（stapler）又は両面粘着テープにより第２スクリーン１２を補助プレート２３に固定した後に、補助プレート２３を上記とは別の第２主プレート２２に収容する。このとき補助プレート２３の一端を第２主プレート２２の一端から挿入することにより、補助プレート２３を第２主プレート２２に収容する。そして第２主プレート２２をボトムレール７２の空間７２ｄに収容する。このとき第２主プレート２２の第２水平片２２ａをボトムレール７２の前受け部７２ｅに係止した状態で、第２主プレート２２の第２蛇行片２２ｃを弾性変形させてボトムレール７２の後受け部７２ｆに係止することにより、第２主プレート２２をボトムレール７２に収容する。この状態でボトムレール７２の両端にエンドキャップ７７を取付ける（図１４）。ここで、中間レール７１に取付けられた第２主プレート２２とボトムレール７２に取付けられた第２主プレート２２とは、これらの主プレート２２，２２間に位置する水平面に対して面対称になるように配置され、中間レールに第２主レール２２を介して取付けられた補助プレート２３とボトムレール７２に第２主レール２２を介して取付けられた補助プレート２３とは、これらの補助プレート２３，２３間に位置する水平面に対して面対称になるように配置される。上述のように、中間レール７１の上面及び下面に取付け幅の異なる第１スクリーン１１（プリーツスクリーン）及び第２スクリーン１２（ハニカムスクリーン）をそれぞれ同時に取付けることができる。
【００５０】
なお、この第３の実施の形態において、「第１スクリーン１１の取付け幅」とは、中間レール７１に第１スクリーン１１を取付けるときの中間レール７１の幅に相応する幅をいい、「第２スクリーン１２の取付け幅」とは、中間レール７１に第２スクリーン１２を取付けるときの中間レール７１の幅に相応する幅をいう。また、この第３の実施の形態では、第２スクリーンの取付け幅（取付部の幅）を第１スクリーンの取付け幅（取付部の幅）より小さく形成したが、第２スクリーンの取付け幅（取付部の幅）を第１スクリーンの取付け幅（取付部の幅）より大きく形成してもよく、或いは第２スクリーンの取付部を第１スクリーンの取付部と形状又は形状及び大きさが異なるように形成してもよい。
【００５１】
＜第４の実施の形態＞
図１５は本発明の第４の実施の形態を示す。図１５において図１３と同一符号は同一部品を示す。この実施の形態では、中間レール１０１が第３の実施の形態の中間レール及び第２主プレートの一体成形により形成され、第２主プレート９２が第３の実施の形態の補助プレートの機能を有する。具体的には、単一の中間レール１０１の上面及び下面に同時に第１スクリーン１１（プリーツスクリーン）及び第２スクリーン１２（ハニカムスクリーン）をそれぞれ取付けるように構成される。即ち、ヘッドレール１３と中間レール１０１との間には第１スクリーン１１が取付けられ、中間レール７１とボトムレール１０２との間には第２スクリーン１２が取付けられる。ヘッドレール１３の下面には、第１スクリーン１１の上端を取付けるための第１主プレート２１が取付けられ、中間レール１０１の上面には、第１スクリーン１１の下端を取付けるための別の第１主プレート２１が取付けられる。また中間レール１０１の下面には、第２スクリーン１２の上端を取付けるための第２主プレート９２が取付けられ、ボトムレール１０２の上面には、第２スクリーン１２の下端を取付けるための別の第２プレート９２が取付けられる。
【００５２】
中間レール１０１は、鉛直方向に延びて設けられた前壁１０１ａ及び後壁１０１ｂと、水平方向に延びて設けられ前壁１０１ａ及び後壁１０１ｂの下縁を接続する連結片１０１ｃとを有する。中間レール１０１の上部には、上面が開放された上部空間１０１ｄが形成され、中間レール１０１の下部には、下面が開放された下部空間１０１ｅが形成される。上部空間１０１ｄには第１主プレート２１が収容され、下部空間１０１ｅには第２主プレート２２が収容される。また中間レール１０１の前壁１０１ａ上縁には上側前受け部１０１ｆが後壁１０１ｂに向いかつ前壁１０１ａ上縁に沿って突設され、中間レール１０１の後壁１０１ｂ上縁には上側後受け部１０１ｇが前壁１０１ａに向いかつ後壁１０１ｂ上縁に沿って突設され、中間レール１０１の連結片１０１ｃの幅方向中央の後壁１０１ｂ寄り下面には上側中央受け部１０１ｈが上方に向いかつ連結片１０１ｃの長手方向に沿って突設される。更に中間レール１０１の連結片１０１ｃの幅方向中央にはこの連結片１０１ｃを上方に湾曲させた上方湾曲部１０１ｉが形成され、この上方湾曲部１０１ｉの前縁には側面視で略Ｌ字状に形成された下側前受け部１０１ｊが突設され、上方湾曲部１０１ｉの後縁には側面視で略逆Ｌ字状に形成された下側後受け部１０１ｋが突設される。上方湾曲１０１ｉ部、下側前受け部及１０１ｊび下側後受け部１０１ｋにより、下面が開放された下部空間１０１ｅが形成される。
【００５３】
一方、ボトムレール１０２は、鉛直方向に延びて設けられた前壁１０２ａ及び後壁１０２ｂと、水平方向に延びて設けられ前壁１０２ａ及び後壁１０２ｂの下縁同士を接続する連結片１０２ｃとを有する。ボトムレール１０２の前壁１０２ａ上縁には前側水平片１０２ｄが後壁１０２ｂに向いかつ前壁１０２ａ上縁に沿って突設され、ボトムレール１０２の後壁１０２ｂ上縁には後側水平片１０２ｅが前壁１０２ａに向いかつ後壁１０２ｂ上縁に沿って突設される。また前側水平片１０２ｄの後縁には側面視で略逆コ字状に形成された前受け部１０２ｆが突設され、後側水平片１０２ｅの前縁には側面視で略コ字状に形成された後受け部１０２ｇが突設される。更に前受け部１０２ｆの下部後縁には側面視で略Ｌ字状に形成された前側屈曲片１０２ｈが突設され、後受け部１０２ｇの下部前縁には側面視で略逆Ｌ字状に形成された後側屈曲片１０２ｉが突設される。前受け部１０２ｆ、後受け部１０２ｇ、前側屈曲部１０２ｈ及び後側屈曲部１０２ｉより、上面及び下面が開放された空間１０１ｊが形成され、この空間に第２主プレート９２が収容される。
【００５４】
第１主プレート２１は第３の実施の形態の第１主プレートと同一に形成され、第２主プレート９２は第３の実施の形態の補助プレートと同一に形成される。即ち、第２主プレート９２は、水平方向に延びて設けられた下片９２ａと、下片９２ａの前部上面に立設された前起立片９２ｂと、下片９２ａの後部上面に立設された後起立片９２ｃと、前起立片９２ｂの前面から中間レール１０１の下側前受け部１０１ｊ又はボトムレールの前受け部１０２ｆに向って突設された前側突片９２ｄと、後起立片９２ｃの後面から中間レール１０１の下側後受け部１０１ｋ又はボトムレール１０２の後受け部１０２ｇに向って突設された後側突片９２ｅとを有する。またヘッドレール１３は第３の実施の形態のヘッドレールと同一に形成される。
【００５５】
ヘッドレール１３に取付けられる第１主プレート２１の第１水平片２１ａの前縁はヘッドレール１３の前受け部１３ｆに係止し、ヘッドレール１３に取付けられる第１主プレート２１の第１蛇行片２１ｂはヘッドレール１３の後受け部１３ｇに係止するように構成される。中間レール１０１に取付けられる第１主プレート２１の第１水平片２１ａの前縁は中間レール１０１の上側前受け部１０１ｆに係止し、中間レール１０１に取付けられる第１主プレート２１の第１蛇行片２１ｂは中間レール１０１の上側後受け部１０１ｇに係止するように構成される。また中間レール１０１に取付けられる第２主プレート９２の前側突片９２ｄの前縁は中間レール１０１の下側前受け部１０１ｊに係止し、中間レール１０１に取付けられる第２主プレート９２の後側突片９２ｅは中間レール１０１の下側後受け部１０１ｋに係止するように構成される。更にボトムレール１０２に取付けられる第２主プレート９２の前側突片９２ｄの前縁はボトムレール１０２の前受け部１０２ｆに係止し、ボトムレール１０２に取付けられる第２主プレート９２の後側突片９２ｅはボトムレール１０２の後受け部１０２ｇに係止するように構成される。上記以外は第３の実施の形態と同一に構成される。
【００５６】
このように構成されたヘッドレール１３、中間レール１０１及びボトムレール１０２に、第１スクリーン１１及び第２スクリーン１２を取付ける手順を図１５に基づいて説明する。先ず第１スクリーン１１の上端を第１主プレート２１の第１水平片２１ａの前部に被せて、ステープラ（stapler）又は両面粘着テープにより第１スクリーン１１を第１主プレート２１に固定する。この状態で第１主プレート２１をヘッドレール１３の下部空間１３ｅに収容する。このとき第１主プレート２１の第１水平片２１ａをヘッドレール１３の前受け部１３ｆに係止した状態で、第１主プレート２１の第１蛇行片２１ｂを弾性変形させてヘッドレール１３の後受け部１３ｇに係止することにより、第１主プレート２１をヘッドレール１３に収容する。この状態でヘッドレール１３の両端にエンドキャップ（図示せず）を取付ける。
【００５７】
次いで第１スクリーン１１の下端を上記とは別の第１主プレート２１の第１水平片２１ａの前部に被せて、ステープラ（stapler）又は両面粘着テープにより第１スクリーン１１を第１主プレート２１に固定する。この状態で第１主プレート２１を中間レール１０１の上部空間１０１ｄに収容する。このとき第１主プレート２１の第１水平片２１ａを中間レール１０１の上側前受け部１０１ｆに係止した状態で、第１主プレート２１の第１蛇行片２１ｂを弾性変形させて中間レール１０１の上側後受け部１０１ｇに係止することにより、第１主プレート２１を中間レール１０１に収容する。ここで、ヘッドレール１３に取付けられた第１主プレート２１と中間レール１０１に取付けられた第１主プレート２１とは、これらの主プレート２１，２１間に位置する水平面に対して面対称になるように配置される。
【００５８】
次に第２スクリーン１２の上端の前生地１２ａを第２主プレート９２の前側突片９２ｄに被せ、第２スクリーン１２の上端の後生地１２ｂを第２主プレート９２の後側突片９２ｅに被せる。この状態でステープラ（stapler）又は両面粘着テープにより第２スクリーン１２を第２主プレート９２に固定した後に、第２主プレート９２を中間レールの下部空間１０１ｅに収容する。このとき第２主プレート９２の一端を中間レール１０１の一端から下部空間１０１ｅに挿入することにより、第２主プレート９２を中間レール１０１の下部空間１０１ｅに収容する。この状態で中間レール７１の両端にエンドキャップ（図示せず）を取付ける。
【００５９】
更に第２スクリーン１２の下端の前生地を上記とは別の第２主プレート９２の前側突片９２ｄに被せ、第２スクリーン１２の下端の後生地を第２主プレート９２の後側突片９２ｅに被せる。この状態でステープラ（stapler）又は両面粘着テープにより第２スクリーン１２を第２主プレート９２に固定した後に、第２主プレート９２をボトムレール１０２に収容する。このとき第２主プレート９２の一端をボトムレール１０２の一端から挿入することにより、第２主プレート９２をボトムレール１０２に収容する。この状態でボトムレール７２の両端にエンドキャップ（図示せず）を取付ける。ここで、中間レール１０１に取付けられた第２主プレート９２とボトムレール１０２に取付けられた第２主プレート９２とは、これらの主プレート９２，９２間に位置する水平面に対して面対称になるように配置される。上述のように、中間レール１０１の上面及び下面に取付け幅の異なる第１スクリーン１１（プリーツスクリーン）及び第２スクリーン１２（ハニカムスクリーン）をそれぞれ同時に取付けることができる。
【００６０】
なお、上記第１及び第３の実施の形態では、第１主プレートと第２主プレートとを、類似しているけれども若干異なる形状に形成したが、第１主プレートを第２主プレートと同一形状に形成してもよい。この場合、第１主プレートへの第１スクリーンの取付作業が若干煩わしくなるけれども、部品点数を低減できる。また上記第３の実施の形態では、単一の中間レールの上面及び下面に同時に第１スクリーン及び第２スクリーンをそれぞれ取付け、中間レールの上面に第１スクリーンを取付けるための第１主プレートを取付け、中間レールの下面に補助プレートを介して第２スクリーンを取付けるための第２主プレートを取付けたが、単一の中間レールの上面及び下面に同時に第２スクリーン及び第１スクリーンをそれぞれ取付け、中間レールの下面に第１スクリーンを取付けるための第１主プレートを取付け、中間レールの上面に補助プレートを介して第２スクリーンを取付けるための第２主プレートを取付けてもよい。更に上記第４の実施の形態では、単一の中間レールの上面及び下面に同時に第１スクリーン及び第２スクリーンをそれぞれ取付け、中間レールの上面に第１スクリーンを取付けるための第１主プレートを取付け、中間レールの下面に第２スクリーンを取付けるための第２主プレートを取付けたが、単一の中間レールの上面及び下面に同時に第２スクリーン及び第１スクリーンをそれぞれ取付け、中間レールの下面に第１スクリーンを取付けるための第１主プレートを取付け、中間レールの上面に第２スクリーンを取付けるための第２主プレートを取付けてもよい。
【符号の説明】
【００６１】
１１  第１スクリーン（プリーツスクリーン）
１２  第２スクリーン（ハニカムスクリーン）
１３，４３  ヘッドレール（レール）
２１，５１  第１主プレート
２２，５２，９２  第２主プレート
２３，５３  補助プレート
４１  抜止めクリップ
７１，１０１  中間レール（レール）
【図１】
0005877681.tif 000002
【図２】
0005877681.tif 000003
【図３】
0005877681.tif 000004
【図４】
0005877681.tif 000005
【図５】
0005877681.tif 000006
【図６】
0005877681.tif 000007
【図７】
0005877681.tif 000008
【図８】
0005877681.tif 000009
【図９】
0005877681.tif 000010
【図１０】
0005877681.tif 000011
【図１１】
0005877681.tif 000012
【図１２】
0005877681.tif 000013
【図１３】
0005877681.tif 000014
【図１４】
0005877681.tif 000015
【図１５】
0005877681.tif 000016